(57)【特許請求の範囲】
【請求項１】
受信無線信号の特徴量を検出する信号検出部と、
前記信号検出部に入力される前の受信無線信号又は信号検出部から出力された受信無線信号を入力して復調する受信処理部と、
前記受信処理部により復調された後の受信無線信号の正誤及び／又は特性を判定するデータ判定部と、
受信無線信号の記録条件を入力する設定条件入力部と、
前記信号検出部、前記受信処理部及び前記データ判定部からフィードバック信号を入力し、当該フィードバック信号の少なくとも一部を使用して受信無線信号が記録条件に適合するか否かを判定し、判定結果に基づいて、信号処理前の受信無線信号の信号記録部への記録を制御する信号判定部と
を有し、
前記信号検出部は、前記受信無線信号の電力値を検出する電力検出部と、前記受信無線信号の周波数成分を検出する周波数検出部と、前記受信無線信号の相関値を検出する相関検出部とを有し、
前記信号判定部は、前記相関検出部の実行のオン／オフと動作モードを設定すると共に、前記電力検出部及び前記周波数検出部の判定閾値を個別に設定し、
前記電力検出部、前記周波数検出部及び前記相関検出部は、各判定結果をフィードバック信号として前記信号判定部に出力する
ことを特徴とする無線通信装置。
【請求項２】
受信無線信号の特徴量を検出する信号検出部と、
前記信号検出部に入力される前の受信無線信号又は信号検出部から出力された受信無線信号を入力して復調する受信処理部と、
前記受信処理部により復調された後の受信無線信号の正誤及び／又は特性を判定するデータ判定部と、
受信無線信号の記録条件を入力する設定条件入力部と、
前記信号検出部、前記受信処理部及び前記データ判定部からフィードバック信号を入力し、当該フィードバック信号の少なくとも一部を使用して受信無線信号が記録条件に適合するか否かを判定し、判定結果に基づいて、信号処理前の受信無線信号の信号記録部への記録を制御する信号判定部と
を有し、
前記受信処理部は、前記受信無線信号の同期処理を実行する同期処理部と、前記受信無線信号の等化処理を実行する等化処理部と、前記受信無線信号の復調処理を実行する復調処理部と、前記受信無線信号の復号処理を実行する復号処理部とを有し、
前記信号判定部は、前記同期処理部、前記等化処理部、前記復調処理部及び前記復号処理部の実行のオン／オフを設定すると共に、前記等化処理部、前記復調処理部及び前記復号処理部の判定閾値を個別に設定し、
前記同期処理部、前記等化処理部、前記復調処理部及び前記復号処理部は、それぞれオン動作時における判定結果をフィードバック信号として前記信号判定部に出力する
ことを特徴とする無線通信装置。
【請求項３】
受信無線信号の特徴量を検出する信号検出部と、
前記信号検出部に入力される前の受信無線信号又は信号検出部から出力された受信無線信号を入力して復調する受信処理部と、
前記受信処理部により復調された後の受信無線信号の正誤及び／又は特性を判定するデータ判定部と、
受信無線信号の記録条件を入力する設定条件入力部と、
前記信号検出部、前記受信処理部及び前記データ判定部からフィードバック信号を入力し、当該フィードバック信号の少なくとも一部を使用して受信無線信号が記録条件に適合するか否かを判定し、判定結果に基づいて、信号処理前の受信無線信号の信号記録部への記録を制御する信号判定部と
を有し、
前記データ判定部は、前記受信無線信号の正誤を判定する正誤判定部と、前記受信無線信号の特性を判定する特性判定部とを有し、
前記信号判定部は、前記正誤判定部及び前記特性判定部の実行のオン／オフと判定閾値を個別に設定し、
前記正誤判定部及び前記特性判定部は、それぞれオン動作時における判定結果をフィードバック信号として前記信号判定部に出力する
ことを特徴とする無線通信装置。
【発明の詳細な説明】
【技術分野】
【０００１】
本発明は、無線信号を受信する無線信号受信装置及びその信号処理装置に関する。
【背景技術】
【０００２】
無線信号の受信状況を精度良く推定するための技術を記載した文献の一つに特許文献１がある。特許文献１には、受信処理の過程で得られるベースバンド信号（具体的には、等化処理後であって復号化前のベースバンド信号）を用いて受信状況を推定することにより、その推定精度の向上を図る受信装置が記載されている。
【先行技術文献】
【特許文献】
【０００３】
【特許文献１】特開２０１０−２４５８１７号公報
【発明の概要】
【発明が解決しようとする課題】
【０００４】
特許文献１に記載の受信装置は、等化処理後であって復号化前のベースバンド信号を解析し、記録条件を満たすベースバンド信号だけを選択的に取得する。ところが、等化処理を施すと、振幅の減衰、位相の歪みなどの情報が失われてしまう。このため、特許文献１に記載された技術は、任意の無線信号の受信状態又は通信状況を解析する用途には必ずしも適していない。例えば特許文献１に開示された方法は、無線信号に対する干渉信号の有無や振幅の減衰の程度、位相の歪みの程度などの情報に基づいて通信状況を解析する必要がある用途には適していない。
【０００５】
そこで、本発明者は、記録・保存目的に応じた個別の条件に応じた判定結果を任意の受信処理ステージから選択的に収集し、収集された判定結果の組み合わせに基づいて、記録条件に適合する受信無線信号を選択的に記録することができる技術を提案する。
【課題を解決するための手段】
【０００６】
本発明者は、１つの発明として、(a) 受信無線信号の特徴量を検出する信号検出部と、(b) 信号検出部に入力される前の受信無線信号又は信号検出部から出力された受信無線信号を入力して復調する受信処理部と、(c) 受信処理部により復調された後の受信無線信号の正誤及び／又は特性を判定するデータ判定部と、(d) 受信無線信号の記録条件を入力する設定条件入力部と、(e) 信号検出部、受信処理部及びデータ判定部からフィードバック信号を入力し、当該フィードバック信号の少なくとも一部を使用して受信無線信号が記録条件に適合するか否かを判定し、判定結果に基づいて、信号処理前の受信無線信号の信号記録部への記録を制御する信号判定部とを有する無線通信装置を提案する。
【０００７】
また、本発明者は、１つの発明として、信号検出部、受信処理部及びデータ判定部からフィードバック信号を入力し、フィードバック信号の少なくとも一部を使用して受信無線信号が無線信号条件に適合するか否かを判定し、判定結果に基づいて受信無線信号の信号記録部への記録を制御する信号判定部を有する信号処理装置を提案する。
【発明の効果】
【０００８】
本発明によれば、記録対象である無線信号に応じて設定された記録条件に合致する無線信号だけを選択的に記録することができる。上記した以外の課題、構成及び効果は、以下の実施の形態における説明より明らかにされる。
【図面の簡単な説明】
【０００９】
【図１】無線通信装置の機能構成例を示す図。
【図２】無線通信装置の詳細な機能構成例を示す図。
【図３】電力検出部の機能構成例を示す図。
【図４】周波数検出部の機能構成例を示す図。
【図５】相関検出部の機能構成例を示す図。
【図６】同期処理部の機能構成例を示す図。
【図７】等化処理部の機能構成例を示す図。
【図８】復調処理部の機能構成例を示す図。
【図９】復号処理部の機能構成例を示す図。
【図１０】データ正誤判定部の機能構成例を示す図。
【図１１】データ特性判定部の機能構成例を示す図。
【図１２】信号判定部の機能構成例を示す図。
【図１３】信号記録部の機能構成例を示す図。
【図１４】信号判定部に与えられる設定条件（記録条件）の一例を示す図。
【図１５】信号判定部の処理動作例を説明するフローチャート。
【図１６】無線通信装置の外観構成例を示す図。
【図１７】無線通信装置の外観構成例を示す図。
【図１８】無線信号の分類例を示す図。
【図１９】信号判定部に与えられる設定条件（記録条件）の一例を示す図。
【図２０】無線通信装置の機能構成例を示す図。
【図２１】信号判定部の処理動作例を説明するフローチャート。
【図２２】信号判定部に与えられる設定条件（記録条件）の一例を示す図。
【図２３】無線通信装置の機能構成図の例を示す図。
【図２４】信号判定部の処理動作例を説明するフローチャート。
【図２５】信号判定部に与えられる設定条件（記録条件）の一例を示す図。
【図２６】無線通信装置の機能構成例を示す図。
【図２７】信号判定部の処理動作例を説明するフローチャート。
【図２８】無線通信装置の機能構成例を示す図。
【図２９】無線通信装置の機能構成例を示す図。
【図３０】信号判定部に与えられる設定条件（記録条件）の一例を示す図。
【図３１】無線通信装置の機能構成例を示す図。
【図３２】信号判定部の処理動作例を示すフローチャート。
【図３３】信号判定部に与えられる設定条件（記録条件）の一例を示す図。
【図３４】信号判定部の処理動作例を示すフローチャート。
【発明を実施するための形態】
【００１０】
以下の実施の形態においては、便宜上その必要があるときは、複数のセクションまたは実施の形態に分割して説明する。以下の実施の形態において、要素の数等（個数、数値、量、範囲等を含む）に言及する場合、特に明示した場合および原理的に明らかに特定の数に限定される場合等を除き、その特定の数に限定されるものではなく、特定の数以上でも以下でもよい。なお、以下の実施の形態において、その構成要素（処理ステップ等も含む）は、特に明示した場合および原理的に明らかに必須であると考えられる場合等を除き、必ずしも必須ではない。
【００１１】
また、以下の実施の形態における各構成、機能、処理部、処理手段等は、それらの一部又は全部を、例えば集積回路その他のハードウェアとして実現しても良い。また、後述する各構成、機能、処理部、処理手段等は、コンピュータ上で実行されるプログラムとして実現しても良い。すなわち、ソフトウェアとして実現しても良い。各構成、機能、処理部、処理手段等を実現するプログラム、テーブル、ファイル等の情報は、メモリやハードディスク、SSD（Solid State Drive）等の記憶装置、ICカード、SDカード、DVD等の記憶媒体に格納することができる。
【００１２】
以下、本発明の実施の形態を図面に基づいて詳細に説明する。なお、実施の形態を説明するための全図において、同一の機能を有する部材には同一または関連する符号を付し、その繰り返しの説明は省略する。また、以下の実施の形態では、特に必要なとき以外は同一または同様な部分の説明を原則として繰り返さない。
【００１３】
［形態例１］
［装置構成］
図１に、本形態例に係る無線通信装置１００の全体構成例を示す。無線通信装置には、いわゆる端末装置だけでなく、中継局装置や基地局装置も含まれる。また、本明細書における無線通信装置には、検査や解析に使用される測定装置も含まれる。なお、本形態例においては、ユーザにより任意に入力される条件に適合する任意の無線信号を選択的に記録することが可能な無線通信装置１００について説明する。
【００１４】
図１に示す無線通信装置１００は、アンテナ１０１、高周波処理部１０２、ＡＤ変換部１０３、信号検出部１０４、受信処理部１０５、データ判定部１０６、受信バッファ１０７、信号判定部１０８、信号記録部１０９、設定条件入力部１１０、信号出力部１１１から構成される。
【００１５】
アンテナ１０１は、無線信号を受信するためのアンテナである。高周波処理部１０２は、受信した無線信号（受信無線信号）の増幅やベースバンド帯域へのダウンコンバートを行う高周波回路である。ＡＤ変換部１０３は、高周波処理部１０２から受け取ったベースバンド信号をデジタル信号にアナログ／デジタル変換する回路である。
【００１６】
信号検出部１０４は、ＡＤ変換部１０３からデジタル信号形式の変調信号を受け取り、その特徴量を検出する回路である。信号検出部１０４は、ＡＤ変換部１０３から入力した変調信号をそのまま受信処理部１０５と信号記録部１０９に出力する機能も有している。
【００１７】
受信処理部１０５は、前段に位置する信号検出部１０４から変調信号を受け取り、同期、等化、復調、復号等の各処理を行う回路である。なお、図１の場合、受信処理部１０５は、信号検出部１０４に対して直列に配置しているが、信号検出部１０４に対して並列に配置してもよい。本明細書においては、受信処理部１０５からデータ判定部１０６に出力されるデータ信号を復調データと呼ぶ。ここでの復調データは、復号処理後のデータを含む意味で使用する。
【００１８】
データ判定部１０６は、受信処理部１０５から復調データを受け取り、復調データの正誤判定や通信周期などの特性判定を行う回路である。
【００１９】
受信バッファ１０７は、全ての処理が終了した復調データを受け取り、格納する記憶媒体又は領域である。受信バッファ１０７は、例えばメモリやＦＰＧＡレジスタで実現される。
【００２０】
信号判定部１０８は、信号検出部１０４、受信処理部１０５、データ判定部１０６からフィードバック信号を入力すると共に、信号検出部１０４、受信処理部１０５、データ判定部１０６に制御信号を与える信号処理装置である。ここで、フィードバック信号とは、各処理ブロックの検出結果又は判定結果を信号判定部１０８へ伝達する信号をいう。一方、制御信号とは、各処理ブロックに対し、検出や判定に使用する判定閾値の設定や処理の実行・不実行を命じる信号をいう。
【００２１】
信号判定部１０８は、信号記録部１０９の動作を制御する信号（記録開始、記録停止、信号保存、信号破棄の４種類の信号）を信号記録部１０９に出力する装置としても機能する。また、信号判定部１０８は、設定条件入力部１１０から判定処理命令を受け取り、判定処理命令に記述された処理を実行する装置としても機能する。信号判定部１０８は、判定処理命令の内容に従って制御信号の出力、フィードバック信号の評価処理、信号記録部１０９の制御（記録開始、記録停止、信号保存、信号破棄）等を実行する。
【００２２】
信号記録部１０９は、信号検出部１０４からＡＤ変換直後の変調信号を受け取り、記憶媒体又は領域に記録する装置である。信号記録部１０９は、信号判定部１０８から与えられる制御信号（記録開始、記録停止、信号保存、信号破棄）に応じた処理を実行する。
【００２３】
設定条件入力部１１０は、ユーザの操作を通じて入力された判定条件（記録条件）に応じた判定処理命令を生成し、信号判定部１０８に伝達する入力部である。
【００２４】
信号出力部１１１は、信号記録部１０９から変調信号を読み出し、ストレージ装置に保存又は表示装置に出力するインタフェース装置である。
【００２５】
［処理動作・効果］
本形態例に係る無線通信装置は、判定条件（記録条件）を満たす任意の受信無線信号だけを選別し、記憶媒体又は領域に選択的に記録・保存・出力することができる。
【００２６】
例えば記録する受信無線信号の特徴量を検出するための条件及び処理内容が判定処理命令として記述されている場合、信号判定部１０８は、判定処理命令に従って信号検出部１０４、受信処理部１０５、データ判定部１０６と連携動作し、記録対象である受信無線信号の到来の有無を判定する。収集されたフィードバック信号が判定条件（記録条件）を満たす場合、信号判定部１０８は、記録対象である受信無線信号が到来したと判定し、その受信無線信号を信号記録部１０９に記録するように指示を出す。
【００２７】
この一連の処理により、本形態例に係る無線通信装置は、その設置位置において受信可能な任意の無線信号のうち判定条件（記録条件）を満たす受信無線信号だけを選択的に記録することができる。
【００２８】
このように、信号検出部１０４、受信処理部１０５、データ判定部１０６の各部から出力されるフィードバック信号を収集し、それらフィードバック信号の組み合わせに基づいて記録対象か否かを判定する方式を採用することにより、記録対象とする受信無線信号の選別に自由に対応することができる。
【００２９】
例えば信号検出部１０４から出力されるフィードバック信号を用いて受信無線信号が記録対象か否かを判定する場合、信号処理が何ら施されていない受信直後の変調信号の特性に基づいて、受信無線信号が記録条件を満たすか否かを判定することができる。このような受信直後の情報を全て含む変調信号の選択技術は、特許文献１には開示されていない。
【００３０】
また例えばデータ判定部１０６から出力されるフィードバック信号を用いて受信無線信号が記録対象か否かを判定する場合、復調及び復号処理後のデータの特性に基づいて、受信無線信号が記録条件を満たすか否かを判定することができる。従って、例えば復号後のデータビット列が正常であったか、又は誤りを含んでいたか等の判定結果に基づいて記録した信号を保存する又は破棄するといった詳細な処理動作が可能となる。このような信号の記録は、特許文献１に記載された技術によっては実現することができない。
【００３１】
因みに、正常なデータを保存するか又は異常なデータを保存するかの選択は、ユーザの使用目的に依存する。例えば通信が正常に行われていることを確認することが目的の場合、正常なデータを記録・保存することが目的となる。一方で、通信が異常であった場合の原因を解析することが目的の場合、異常なデータを記録・保存することが目的となる。
【００３２】
以上の通り、形態例１に係る装置構成によれば、受信無線信号を記録・保存する目的が異なる複数のユーザにとって利便性の高い無線通信装置を提供することができる。すなわち、本形態例に係る装置の場合、目的に応じた信号処理段階でのフィードバック信号を用いて記録・保存すべき受信無線信号か否かを判定することができる。
【００３３】
［形態例２］
［装置構成］
図２に、形態例１で説明した無線通信装置のより詳細な機能構成の例を示す。図２に示す無線通信装置は、アンテナ１０１、高周波処理部１０２、ＡＤ変換部１０３、電力検出部２０１、周波数検出部２０２、相関検出部２０３、同期処理部２０４、等化処理部２０５、復調処理部２０６、復号処理部２０７、正誤判定部２０８、特性判定部２０９、受信バッファ１０７、信号判定部２１０、信号記録部２１１、設定条件入力部１１０、信号出力部１１１から構成される。
【００３４】
電力検出部２０１は、ＡＤ変換部１０３からデジタル信号形式の変調信号を受け取り、特徴量として変調信号の電力値の増減を検出する回路である。図３に、電力検出部２０１の詳細構成を示す。
【００３５】
周波数検出部２０２は、デジタル信号形式の変調信号を電力検出部２０１から受け取り、変調信号の周波数成分を検出する回路である。図４に、周波数検出部２０２の詳細構成を示す。
【００３６】
相関検出部２０３は、デジタル信号形式の変調信号を周波数検出部２０２から受け取り、変調信号の相関値を検出する回路である。図５に、相関検出部２０３の詳細構成を示す。以上説明した電力検出部２０１、周波数検出部２０２、相関検出部２０３が、形態例１における信号検出部１０４に相当する。
【００３７】
同期処理部２０４は、デジタル信号形式の変調信号を相関検出部２０３から受け取り、キャリア同期、シンボル同期、フレーム同期の各処理を行う回路である。図６に、同期処理部２０４の詳細構成を示す。
【００３８】
等化処理部２０５は、デジタル信号形式の変調信号を同期処理部２０４から受け取り、チャネル推定及びチャネル等化処理を行う回路である。図７に、等化処理部２０５の詳細構成を示す。
【００３９】
復調処理部２０６は、デジタル信号形式の変調信号を等化処理部２０５から受け取り、受信無線信号の変調方式に対応する復調処理を行う回路である。図８に、復調処理部２０６の詳細構成を示す。
【００４０】
復号処理部２０７は、デジタル信号形式の変調信号を復調処理部２０６から受け取り、受信無線信号の符号化方式に対応する復号処理を行う回路である。図９に、復号処理部２０７の詳細構成を示す。以上説明した同期処理部２０４、等化処理部２０５、復調処理部２０６、復号処理部２０７が、形態例１における受信処理部１０５に相当する。
【００４１】
正誤判定部２０８は、デジタル信号形式の復調データを復号処理部２０７から受け取り、復調データの正誤判定を行う回路である。図１０に、正誤判定部２０８の詳細構成を示す。
【００４２】
特性判定部２０９は、デジタル信号形式の復調データを正誤判定部２０８から受け取り、復調データの通信周期などの特性判定を行う回路である。図１１に、特性判定部２０９の詳細構成を示す。以上説明した正誤判定部２０８及び特性判定部２０９が、形態例１におけるデータ判定部１０６に相当する。
【００４３】
信号判定部２１０は、電力検出部２０１、周波数検出部２０２、相関検出部２０３、同期処理部２０４、等化処理部２０５、復調処理部２０６、復号処理部２０７、正誤判定部２０８、特性判定部２０９からフィードバック信号を入力すると共に、電力検出部２０１、周波数検出部２０２、相関検出部２０３、同期処理部２０４、等化処理部２０５、復調処理部２０６、復号処理部２０７、正誤判定部２０８、特性判定部２０９に制御信号を与える信号処理装置である。図１２に、信号判定部２１０の詳細構成を示す。この信号判定部２１０も、信号記録部２１１の動作を制御する信号（記録開始、記録停止、信号保存、信号破棄の４種類の信号）を出力する機能を有する。また、信号判定部２１０は、設定条件入力部１１０から判定処理命令を受け取り、判定処理命令に記述された処理を実行する装置としても機能する。信号判定部２１０は、判定処理命令の内容に従って制御信号の出力、フィードバック信号の評価処理、信号記録部２１１の制御（記録開始、記録停止、信号保存、信号破棄）等を実行する。
【００４４】
信号記録部２１１は、ＡＤ変換部１０３の出力直後から変調信号を受け取り、記憶媒体又は領域に記録する装置である。信号記録部２１１は、信号判定部２１０から与えられる制御信号（記録開始、記録停止、信号保存、信号破棄）に応じた処理を実行する。図１３に、信号記録部２１１の詳細構成を示す。
【００４５】
［各ブロックの詳細構成］
次に、各機能ブロックの詳細構成能を説明する。
図３に、電力検出部２０１の機能構成例を示す。図３に示すように、電力検出部２０１は、電力変換部３０１と電力判定部３０２で構成される直列回路を、変調信号の伝送路に対して並列に接続した構成を有している。電力変換部３０１は、変調信号を積算して電力値を計算する回路である。電力判定部３０２は、計算された電力値が、信号判定部２１０から設定された閾値より大きいか小さいかを判定する回路である。電力判定部３０２は、判定（比較）結果がその出力条件を満たす場合、電力検出信号を信号判定部２１０に出力し、出力条件を満たす変調信号の電力を検出したことを伝達する。ここでの電力検出信号がフィードバック信号に相当する。なお、電力検出信号を出力する条件は、計算した電力値が閾値より大きい場合、小さい場合のどちらでもよい。電力検出信号を出力する条件は、信号判定部２１０より設定される。
【００４６】
図４に、周波数検出部２０２の詳細構成例を示す。図４に示すように、周波数検出部２０２は、周波数変換部４０１と周波数判定部４０２で構成される直列回路を、変調信号の伝送路に対して並列に接続した構成を有している。周波数変換部４０１は、変調信号に対して例えばフーリエ変換処理を適用し、周波数成分を計算する回路である。周波数判定部４０２は、計算された周波数成分が、信号判定部２１０から設定された閾値と合致しているか否かを判定する回路である。周波数検出部２０２は、判定結果がその出力条件を満たす場合、周波数検出信号を信号判定部２１０に出力し、出力条件を満たす変調信号の周波数成分を検出したことを伝達する。ここでの周波数検出信号がフィードバック信号に相当する。なお、周波数検出信号を出力する条件は、計算した周波数成分が閾値と合致する場合、合致しない場合のどちらでもよい。周波数検出信号を出力する条件は、信号判定部２１０より設定される。
【００４７】
図５に、相関検出部２０３の詳細構成例を示す。図５に示すように、相関検出部２０３は、相関処理部５０１と相関判定部５０２で構成される直列回路を、変調信号の伝送路に対して並列に接続した構成を有している。相関処理部５０１は、変調信号を対象として相関処理を行う回路である。相関処理は、変調信号自身を用いる自己相関処理か、信号判定部２１０より設定された相関パターンを用いる相互相関処理である。相関判定部５０２は、相関処理結果としての相関値が、信号判定部２１０から設定された閾値より大きいか小さいかを判定する回路である。判定（比較）結果がその出力条件を満たす場合、相関検出信号を信号判定部２１０に出力し、出力条件を満たす変調信号の相関を検出したことを伝達する。ここでの相関検出信号がフィードバック信号に相当する。なお、相関検出信号を出力する条件は、計算した相関値が閾値より大きい場合、小さい場合のどちらでもよい。相関検出信号を出力する条件は、信号判定部２１０より設定される。
【００４８】
図６に、同期処理部２０４の詳細構成例を示す。図６に示すように、同期処理部２０４は、変調信号の伝送路に対して直列にキャリア同期部６０１、シンボル同期部６０２、フレーム同期部６０３を接続した構成を有している。
【００４９】
キャリア同期部６０１は、送信機のクロックと受信機のクロックずれに起因する周波数ずれ等を補正する処理回路である。ここで、機能ＯＮ／ＯＦＦ信号は、この同期処理の結果を利用するか否かを設定する信号である。機能ＯＮ／ＯＦＦ信号がＯＮの場合（結果を使用する場合）、キャリア同期検出信号は、同期処理の結果を信号判定部２１０へ伝達する。キャリア同期信号がフィードバック信号に相当する。
【００５０】
シンボル同期部６０２は、変調信号のシンボルタイミングを判定する処理回路である。ここで、機能ＯＮ／ＯＦＦ信号は、この同期処理の結果を利用するか否かを設定する信号である。機能ＯＮ／ＯＦＦ信号がＯＮの場合（結果を使用する場合）、シンボル同期検出信号は、同期処理の結果を信号判定部２１０へ伝達する。シンボル同期信号がフィードバック信号に相当する。
【００５１】
フレーム同期部６０３は、変調信号の始まりを検出する処理回路である。ここで、機能ＯＮ／ＯＦＦ信号は、この同期処理の結果を利用するか否かを設定する信号である。機能ＯＮ／ＯＦＦ信号がＯＮの場合（結果を使用する場合）、フレーム同期検出信号は、同期処理の結果を信号判定部２１０へ伝達する。フレーム同期検出信号がフィードバック信号に相当する。
【００５２】
図７に、等化処理部２０５の詳細構成例を示す。図７に示すように、等化処理部２０５は、変調信号の伝送路に対して並列に接続されるチャネル推定部７０１と、変調信号の伝送路に対して直列に接続されるチャネル等化部７０２とで構成される。チャネル推定部７０１は、予め無線機に保持したパイロット信号と変調信号を比較し、変調信号の振幅と位相の変化量を計算する回路である。閾値入力信号は、チャネル推定処理における振幅又は位相の閾値を入力する信号である。チャネル等化検出信号は、チャネル推定処理の結果を信号判定部へ伝達する信号であり、フィードバック信号に相当する。チャネル等化部７０２は、チャネル推定部７０１で推定した振幅及び位相の変化量に基づいて、変調信号をパイロット信号に近い信号に補正する回路である。
【００５３】
図８に、復調処理部２０６の詳細構成例を示す。図８に示すように、復調処理部２０６は、変調信号の伝送路に対して直列に接続された復調処理部８０１で構成される。復調処理部８０１は、変調信号の変調方式に対応した復調処理を実行し、変調信号を復調データに変換する回路である。閾値入力信号は、復調処理における特徴量に関する閾値を入力する信号である。復調処理検出信号は、復調処理の結果を信号判定部へ伝達する信号である。この復調処理検出信号がフィードバック信号に相当する。
【００５４】
図９に、復号処理部２０７の詳細構成例を示す。図９に示すように、復号処理部２０７は、復調データの伝送路に対して直列に接続された復号処理部９０１で構成される。復号処理部９０１は、変調信号の符号化方式に対応した復号処理を実行し、復調データを復号データに変換する回路である。閾値入力信号は、復号処理における特徴量に関する閾値を入力する信号である。復号処理検出信号は、復号処理の結果を信号判定部へ伝達する信号である。この復号処理検出信号がフィードバック信号に相当する。
【００５５】
図１０に、正誤判定部２０８の詳細構成例を示す。正誤判定部２０８は、図１０に示すように、復号データの伝送路に対して直列に接続された誤り検出処理部１００１と、正誤判定部１００２で構成される。誤り検出処理部１００１は、復号データを受け取り、例えばＣＲＣ検出を実行する回路である。正誤判定部１００２は、誤り検出の結果を受け取り、正誤を判定する回路である。閾値入力信号は、例えば誤り無しの場合にデータ正誤検出信号を出力するか、逆に誤り有りの場合にデータ正誤検出信号を出力するかを特定する動作モードを設定する信号である。データ正誤検出信号がフィードバック信号に相当する。
【００５６】
図１１に、特性判定部２０９の詳細構成例を示す。特性判定部２０９は、図１１に示すように、復号データの伝送路に対して直列に接続された特性検出部１１０１と、特性判定部１１０２で構成される。特性検出部１１０１は、復号データの特性を検出する回路である。特性値には、例えばデータの通信周期、エラー率などの統計情報がある。特性判定部１１０２は、検出された特性値が閾値に対して適合するか否かを判定する回路である。特性判定部１１０２は、例えば入力された通信周期に適合する信号か否かを判定する。閾値入力信号は、前述した特性値に関する閾値を入力する信号である。データ特性判定信号は、判定処理の結果を信号判定部２１０へ伝達する信号である。データ特性判定信号がフィードバック信号に相当する。
【００５７】
図１２に、信号判定部２１０の詳細構成例を示す。図１２に示すように、信号判定部２１０は、信号判定部１２０１で構成される。前述したように、フィードバック信号は、各検出部／判定部から入力される信号である。制御信号は、各検出部／判定部に対し、閾値の入力や所定の処理の実行を命令する信号である。判定処理命令信号は、設定条件入力部１１０から伝達される信号である。判定処理命令信号には、所望の無線信号を記録するための信号特徴量に関する設定値及び処理動作手順（動作フロー）が記述されている。記録開始信号は、信号記録部２１１に対して受信無線信号（変調信号）の記録を開始する命令を伝達する信号である。記録停止信号は、信号記録部２１１に対して受信無線信号（変調信号）の記録を停止する命令を伝達する信号である。信号保存信号は、信号記録部２１１に対し、信号記録部２１１が記録している受信無線信号（変調信号）を保存する命令を伝達する信号である。信号破棄信号は、信号記録部２１１に対し、信号記録部２１１が記録している受信無線信号（変調信号）を破棄する命令を伝達する信号である。信号判定部１２０１は、判定処理命令に記述された処理内容に従い、適切な特徴量の条件及び適切な順番に基づいて処理を実行し、各検出部／処理部や信号記録部２１１との間で、制御信号やフィードバック信号をやり取りする。このやり取りにより、所望の無線信号の記録を実現する。
【００５８】
図１３に、信号記録部２１１の詳細構成例を示す。図１３に示すように、信号記録部２１１は、信号記録制御部１３０１とメモリ１３０２で構成される。信号記録制御部１３０１は、変調信号の記録動作を制御する信号である。変調信号は、受信待機状態の間は、ＡＤ変換部１０３から常時伝達されている。記録開始信号が伝達されると、信号記録制御部１３０１は、メモリ１３０２のアドレスを指定し、変調信号の記録を開始する。記録停止信号が伝達されると、信号記録制御部１３０１は、メモリ１３０２に対する変調信号の記録を停止する。信号保存信号が伝達されると、信号記録制御部１３０１は、メモリ１３０２に記録されている変調信号を信号出力部１１１に出力する。信号破棄信号が伝達されると、信号記録制御部１３０１は、メモリ１３０２に記録されている変調信号を破棄する。具体的には、既に変調信号を書き込み済みのアドレスに対し、新たな変調信号の書き込みを許可する。
【００５９】
［判定処理命令に記述される設定条件の一例］
図１４に、判定処理命令に記述される設定条件（記録条件）の一例を示す。前述したように、設定条件は、所望の受信無線信号（変調信号）だけを選択的に記録するために、各検出部／判定部に与える判定条件や処理内容で構成される。図１４は、設定条件の一例であるが、例えば電力検出を有効（ON）とし、電力閾値を−７０ｄＢｍと設定している。また、周波数検出を有効（ON）とし、検出する周波数の中心周波数を２４５０ＭＨｚ、帯域幅を５ＭＨｚとしている。また、相関検出、同期処理、等化処理、復調処理、復号処理を無効（OFF）に設定している。また、正誤判定を有効（ON）とし、データ誤りを検出対象に設定している。また、特性判定を有効（ON）とし、通信周期を５００ｍｓに設定している。
【００６０】
形態例に係る無線通信装置では、信号判定部２１０が各検出部／判定部との連携動作により、定義された設定条件に合致する受信無線信号の受信を判定・検出し、合致した受信無線信号だけを選択的に記録する。なお、図１４において、同期、等化、復調、復号処理を無効としている意味は、信号判定部２１０による判定処理に用いないという意味であり、本来の受信処理としての同期、等化、復調、復号処理は、従来の無線通信装置と同様に実行される。
【００６１】
［判定処理命令の記述に基づいた処理動作例］
図１５に、判定処理命令の記述に基づいた処理動作手順の一例を示す。無線通信装置の電源投入（１５０１）の後、信号判定部２１０は、判定処理命令に記述された信号の条件に従って、各処理ブロックの初期設定動作を実行する。具体的には、電力検出部２０１に電力閾値を設定し（１５０２）、周波数検出部２０２に周波数閾値を設定し（１５０３）、相関検出部２０３に閾値を設定し（１５０４）、同期処理部２０４の判定機能、等化処理部２０５の閾値、復調処理部２０６の閾値、復号処理部２０７の閾値をそれぞれ設定し（１５０５）、正誤判定部２０８の閾値を設定し（１５０６）、特性判定部２０９の閾値を設定する（１５０７）。
【００６２】
信号判定部２１０による初期設定が終了すると、無線通信装置は、受信待機状態を開始する（１５０８）。受信無線信号が到来すると、電力判定部３０２は、受信無線信号の電力値を計算し、予め入力された閾値に対する判定処理を行う（１５０９）。ここで、電力値が閾値を超えない場合、信号判定部２１０は、受信待機を継続する（１５０８）。
【００６３】
一方、電力値が閾値を越えた場合、信号判定部２１０は、記録候補である何らかの受信無線信号が到来したと判定し、信号記録を開始する（１５１０）。具体的には、信号判定部２１０は、電力検出部２０１からフィードバック信号として電力検出信号を受け取ると、所望の受信無線信号が到来したと判定する。このとき、信号判定部２１０は、記録開始信号を信号記録部２１１に出力する。記録開始信号を受け取った信号記録部２１１は、受信無線信号の記録を開始する。
【００６４】
記録の開始後、信号判定部２１０は、周波数検出部２０２から変調信号の周波数成分の解析結果を取得する。ここで、信号判定部２１０は、変調信号の周波数成分が設定条件を満たすか否かをフィードバック信号の有無に基づいて判定する（１５１１）。判定結果が不適合だった場合、信号判定部２１０は、受信無線信号の記録を停止し（１５１８）、その時点までに記録されていた信号を破棄する（１５１９）。
【００６５】
具体的には、周波数検出部２０２からフィードバック信号として周波数検出信号を受け取った場合、信号判定部２１０は、到来した受信無線信号が所望の信号とは不一致であったと判定する。このとき、信号判定部２１０は、記録停止信号を信号記録部２１１に出力する。記録停止信号を受け取った信号記録部２１１は、受信無線信号の記録を停止する。この後、信号判定部２１０は、信号破棄信号を信号記録部２１１に出力する。信号記録部２１１は、変調信号を記録していたアドレス領域への再書き込みを許可することにより記録信号を破棄する。
【００６６】
これに対し、周波数条件が合致している場合（フィードバック信号が受信されなかった場合）、信号判定部２１０は、相関結果が設定条件を満たすか否かをフィードバック信号の有無に基づいて判定する（１５１２）。到来した無線信号が所望の信号と不一致であると判定された場合、信号判定部２１０は、記録停止（１５１８）と信号破棄（１５１９）を実行する。
【００６７】
到来した無線信号が所望の信号と合致していると判定された場合、信号判定部２１０は、受信処理を行う（１５１３）。具体的には、信号記録制御のための同期、等化、復調、復号の各処理の各処理部における実行を許可する。
【００６８】
次に、信号判定部２１０は、正誤判定部２０８からのフィードバック信号の有無により、復調されたデータの正誤判定結果を判定する（１５１４）。信号判定部２１０は、データが正常／異常であるかに応じて、記録停止（１５１８）及び信号破棄（１５１９）するか、記録を継続するかを判定する。
【００６９】
次に、信号判定部２１０は、特性判定部２０９からのフィードバック信号の有無により、復調されたデータの特性値に対する判定結果を判定する（１５１５）。特性値が判定閾値に合致しない場合、信号判定部２１０は、記録停止（１５１８）及び信号破棄（１５１９）を実行し、特性値が判定閾値に合致する場合、記録停止（１５１６）及び信号保存（１５１７）を実行する。以上が、１つの受信無線信号を記録するための一連の処理動作であり、その後、信号判定部２１０は受信待機状態（１５０８）へと戻る。
【００７０】
以上の処理動作が、処理判定命令に記述されている。これらの処理動作は、例えば実行順序が記述されたスクリプトやプログラムといった形態で記述される。
【００７１】
［効果］
以上の処理動作により、本形態例に係る無線通信装置は、判定条件（記録条件）を満たす任意の受信無線信号だけを選別し、記憶媒体又は領域に選択的に記録・保存・出力することができる。
【００７２】
例えば記録する受信無線信号の特徴量を検出するための条件及び処理内容が判定処理命令として記述されている場合、信号判定部２１０は、判定処理命令に従って電力検出部２０１、周波数検出部２０２、相関検出部２０３、同期処理部２０４、等化処理部２０５、復調処理部２０６、復号処理部２０７、正誤判定部２０８、特性判定部２０９と連携動作し、記録対象である受信無線信号の到来の有無を判定する。フィードバック信号の組が判定条件（記録条件）を満たす場合、信号判定部２１０は、記録対象である受信無線信号が到来したと判定し、その受信無線信号を記録して保存するように信号記録部２１１に対して指示を出す。
【００７３】
この一連の処理により、本形態例に係る無線通信装置は、その設置位置において受信可能な任意の無線信号のうち判定条件（記録条件）を満たす受信無線信号だけを選択的に記録し保存することができる。
【００７４】
このように、本形態例に係る無線通信装置は、電力検出部２０１から出力されるフィードバック信号を用いて受信無線信号が受信対象か否かを判定する。すなわち、本形態例に係る無線通信装置は、ＡＤ変換部１０３を出た直後の変調信号を用い、受信無線信号が受信対象か否かを判定する。その結果、本形態例に係る無線通信装置は、ＡＤ変換部１０３を出た直後の何らの信号処理が施されていない変調信号を記録し保存することができる。
【００７５】
また、本形態例に係る無線通信装置は、周波数検出部２０２が送信するフィードバック信号を用いて信号記録処理の判断を行う。この判定処理により、本形態例に係る無線通信装置は、所望の周波数成分を有する変調信号を検出することができ、所望の変調信号を選択的に記録し保存することができる。
【００７６】
また、本形態例に係る無線通信装置は、相関検出部２０３が送信するフィードバック信号を用いて信号記録処理の判断を行う。この判定処理により、本形態例に係る無線通信装置は、任意の信号パターンにおいて相関を有する信号を検出することができ、所望の変調信号を選択して記録し保存することができる。
【００７７】
また、本形態例に係る無線通信装置は、正誤判定部２０８が送信するフィードバック信号を用いて信号記録処理の判断を行う。この判定処理により、本形態例に係る無線通信装置は、復号後のデータ列が誤りを含む又は誤りを含まないといった結果に応じて、所望の変調信号を選択して記録し保存することができる。
【００７８】
また、本形態例に係る無線通信装置は、特性判定部２０９が送信するフィードバック信号を用いて信号記録処理の判断を行う。これにより、本形態例に係る無線通信装置は、例えば５００ミリ秒間隔といった周期的に到来する信号のみを検出し、所望の変調信号を選択して記録し保存することができる。
【００７９】
どのような特性を有する無線信号を記録・保存対象とするかはユーザの目的によって様々であるが、前述の通り、本形態例に係る無線通信装置は、フィードバック信号の組み合わせにより所望の無線信号を適切に選択し、記録し保存することができる。
【００８０】
［無線通信装置の外観例］
図１６に、無線通信装置１００と、記録された受信無線信号を視覚的に表示する表示装置１６０１が同一筺体内に配置される例を示している。なお、図１６においては、「波形３」が選択的に表示されている。また、表示装置１６０１の周辺の筺体表面には、操作入力手段としての操作ボタン類が配置されている。
【００８１】
図１７に、無線通信装置と表示装置がそれぞれ独立した装置として構成される例を示す。図１７は、無線通信装置の信号出力部１１１と外部出力装置１７０１が通信ケーブル経由で接続された例を示す。勿論、通信ケーブルによる接続を無線による接続に変更してもよい。図１７の例の場合、信号出力部１１１は、記録した受信無線信号を、通信ケーブルを介して外部出力装置１７０１に出力する。外部出力装置１７０１は、図１７に示すように、記録した受信無線信号を視覚的に表示する表示装置を備えている。
【００８２】
［受信される無線信号の種類］
前述したように、本明細書で提案する無線通信装置は、任意の無線信号を選別し、記録・保存することができる。また、本明細書で提案する無線通信装置では、任意の無線信号を選択するための条件を、設定条件入力部１１０を通じ、ユーザが入力できると点にも特徴がある。
【００８３】
図１８に、本明細書で提案する無線通信装置が対応することができる無線信号の代表的な分類例を示す。図１８の縦軸は記録・保存対象とする無線信号の発生源（機器）を示し、横軸は受信無線信号の特性を示している。図１８に示す通り、現実世界では広帯域、狭帯域、連続、非連続といった様々な特徴量をもつ無線信号が常時放射されている。これらの雑多な無線信号を全て記録しようとすれば、情報量は膨大となり、膨大な情報量の中から真に有益な情報を探しだすことが困難になってしまう。
【００８４】
そこで、本明細書で提案する無線通信装置では、受信可能な全ての受信無線信号の中から任意の無線信号を記録対象に選択できるように、設定条件を指定入力するための設定条件入力部１１０を設けている。
【００８５】
なお、雑多な無線信号の中から任意の無線信号を選択するために必要な情報の組み合わせは一つでない。従って、引用文献１のように、等化処理後の信号を閾値と比較するだけでは、任意の受信無線信号に対応することができない。そこで、本明細書に係る無線通信装置では、一連の受信処理に関与する各判定部／処理部に対し、記録対象とする受信無線信号の識別に必要な個別の条件を与え、その判定結果を示すフィードバック信号を信号判定部２１０に収集する。そして、収集したフィードバック信号が設定条件（記録条件）の全てを満たす場合に、受信している受信無線信号を選択的に記録・保存する。
【００８６】
［形態例３］
本形態例では、形態例２で説明した無線通信装置１００の構成を前提とし、具体的な設定条件が与えられた場合における無線通信装置のシステム構成及び処理動作を説明する。
【００８７】
図１９は、本形態例において選択的に記録・保存する受信無線信号の設定条件（記録条件）である。図１９に示す設定条件（記録条件）では、電力検出を有効（ON）に制御し、電力閾値を−８０ｄＢｍに設定している。また、周波数検出を有効（ON）に制御し、検出する周波数の中心周波数を２４５０ＭＨｚ、帯域幅を５ＭＨｚに設定している。また、相関検出を有効（ON）に制御し、相関モードを自己相関に設定している。また、同期処理を無効（OFF）に設定している。また、等化処理、復調処理、復号処理を無効（OFF）に設定している。また、正誤判定を有効（ON）に制御し、正常データを検出対象に設定している。また、特性判定を有効（ON）とし、通信周期を５００ｍｓに設定している。すなわち、本形態例では、通信周期５００ｍｓで送信される無線信号において、正常に復調できた受信無線信号だけを記録することを目的とする。
【００８８】
図２０は、形態例３に対応する無線通信装置において使用するフィードバック信号の入出力関係を分かり易く表した等価図である。無線通信装置１００は、アンテナ１０１、高周波処理部１０２、ＡＤ変換部１０３、電力検出部２０１、周波数検出部２０２、相関検出部２０３、受信処理部１０５、正誤判定部２０８、特性判定部２０９、受信バッファ１０７、信号判定部２１０、信号記録部２１１、設定条件入力部１１０、信号出力部１１１から構成される。図２０に示すように、本形態例は、信号検出部１０４とデータ判定部１０６からのフィードバック信号だけを使用する。勿論、信号検出部１０４とデータ判定部１０６を構成する各部の有効／無効や閾値は、図１９の設定条件に基づいて切り替えられている。また、本形態例では、形態例２に示すハードウェア構成を前提としているが、図２０に示すフィードバック信号の入出力関係だけをハードウェア的に有する装置構成でもよい。
【００８９】
図２１に、形態例３に対応する判定処理命令の記述に基づいた処理動作手順の一例を示す。無線通信装置の電源投入（２１０１）の後、信号判定部２１０は、電力検出部２０１を有効（ON）状態に制御し、閾値を−８０ｄＢｍに設定する（２１０２）。次に、信号判定部２１０は、周波数検出部２０２を有効（ON）状態に制御し、検出する周波数の中心周波数を２４５０ＭＨｚに、帯域幅を５ＭＨｚに設定する（２１０３）。
【００９０】
次に、信号判定部２１０は、相関検出部２０３を有効（ON）状態に制御し、検出モードを自己相関モードに設定する（２１０４）。次に、信号判定部２１０は、同期処理部２０４、等化処理部２０５、復調処理部２０６、復号処理部２０７を無効（OFF）状態に設定する（２１０５）。次に、信号判定部２１０は、正誤判定部２０８を有効（ON）状態に制御し、正常データを検出対象に設定する（２１０６）。次に、信号判定部２１０は、特性判定部２０９を有効（ON）状態に制御し、通信周期を５００ｍｓに設定する（２１０７）。
【００９１】
以上の初期設定が終了すると、無線通信装置は、受信待機状態を開始する（２１０８）。無線信号が到来すると、電力検出部２０１は、電力値を計算し、−８０ｄＢｍよりも大きいか小さいかを判定する（２１０９）。電力値が−８０ｄＢｍよりも小さい場合（信号判定部２１０が電力検出部２０１からフィードバック信号を受信しなかった場合）、信号判定部２１０は受信待機を継続する（２１０８に戻る）。一方、電力値が−８０ｄＢｍを越えた場合（信号判定部２１０が電力検出部２０１からフィードバック信号を受信した場合）、信号判定部２１０は記録候補の何らかの無線信号が到来したと判定し、信号記録を開始する（２１１０）。
【００９２】
次に、信号判定部２１０は、周波数検出部２０２から周波数成分の解析結果を取得する。具体的には、信号判定部２１０は、周波数検出部２０２からフィードバック信号が受信されるか否かを判定する（２１１１）。フィードバック信号は、受信無線信号の中心周波数が２４５０ＭＨｚであり、かつ、帯域幅が５ＭＨｚ以下である場合に周波数検出部２０２から出力される。
【００９３】
判定結果が不適合を意味する場合、信号判定部２１０は信号記録を停止（２１１８）し、その時点まで記録していた信号を破棄する（２１１９）。判定結果が適合を意味する場合、信号判定部２１０は相関検出部２０３からフィードバック信号が受信されるか否かを判定する（２１１２）。フィードバック信号は、自己相関を有する場合に相関検出部２０３から出力される。
【００９４】
到来した無線信号が自己相関を持たないと判定された場合、信号判定部２１０は信号記録を停止（２１１８）し、信号を破棄する（２１１９）。到来した無線信号が自己相関を持つと判定された場合、信号判定部２１０は、受信処理部１０５による受信処理を待つ（２１１３）。具体的には、同期、等化、復調、復号の各処理の実行を待つ。
【００９５】
この後、信号判定部２１０は、正誤判定部２０８からフィードバック信号が受信されるか否かを判定する（２１１４）。フィードバック信号は、復調されたデータが正常の場合に正誤判定部２０８から出力される。データが異常の場合、信号判定部２１０は、信号記録を停止（２１１８）し、それまで記録していた信号を破棄（２１１９）する。データが正常の場合、信号判定部２１０は、信号記録を継続する。
【００９６】
次に、信号判定部２１０は、特性判定部２０９からフィードバック信号が受信されるか否かを判定する（２１１５）。フィードバック信号は、データの通信周期が５００ｍｓに適合する場合に特性判定部２０９から出力される。データの通信周期が５００ｍｓと適合しない場合、信号判定部２１０は、信号記録を停止（２１１８）し、それまで記録していた信号を破棄（２１１９）する。一方、データの通信周波数が５００ｍｓと適合する場合、信号判定部２１０は、信号記録を停止（２１１６）し、それまで記録していた信号を保存（２１１７）する。以上が、１つの受信無線信号を記録するための一連の処理動作であり、その後、信号判定部２１０は受信待機状態（２１０８）へと戻る。
【００９７】
以上の処理動作が、処理判定命令に基づいて実行される。以上の処理により、図１９で設定した条件に適合する無線信号のみが選択的に記録され、適合しない無線信号は破棄される。
【００９８】
［形態例４］
引き続き、形態例２で説明した無線通信装置１００の構成を前提とし、具体的な設定条件が与えられた場合における無線通信装置のシステム構成及び処理動作を説明する。
【００９９】
図２２は、本形態例において選択的に記録・保存する受信無線信号の設定条件（記録条件）である。図２２に示す設定条件（記録条件）では、電力検出を有効（ON）に制御し、電力閾値を−７０ｄＢｍに設定している。また、周波数検出を有効（ON）に制御し、検出する周波数の中心周波数を２４５０ＭＨｚ、帯域幅を５ＭＨｚに設定している。また、相関検出を有効（ON）に制御し、相関モードを自己相関に設定している。また、同期処理、等化処理、復調処理、復号処理を無効（OFF）無効に設定している。また、正誤判定を有効（ON）に制御し、誤りデータを検出対象に設定している。また、特性判定を無効（OFF）に設定している。すなわち、本形態例では、正常に復調できなかった受信無線信号だけを記録することを目的とする。
【０１００】
図２３は、形態例４に対応する無線通信装置において使用するフィードバック信号の入出力関係を分かり易く表した等価図である。無線通信装置１００は、アンテナ１０１、高周波処理部１０２、ＡＤ変換部１０３、電力検出部２０１、周波数検出部２０２、相関検出部２０３、受信処理部１０５、正誤判定部２０８、受信バッファ１０７、信号判定部２１０、信号記録部２１１、設定条件入力部１１０、信号出力部１１１から構成される。図２３に示すように、本形態例は、信号検出部１０４とデータ判定部１０６の一部からのフィードバク信号だけを使用する。勿論、信号検出部１０４とデータ判定部１０６を構成する各部の有効／無効や閾値は、図２３の設定条件に基づいて切り替えられている。また、本形態例では、形態例２に示すハードウェア構成を前提としているが、図２３に示すフィードバック信号の入出力関係だけをハードウェア的に有する装置構成でもよい。
【０１０１】
図２４は、形態例４に対応する判定処理命令の記述に基づいた処理動作手順の一例を示す。無線通信装置の電源投入（２４０１）の後、信号判定部２１０は、電力検出部２０１を有効（ON）状態に制御し、閾値を−７０ｄＢｍに設定する（２４０２）。次に、信号判定部２１０は、周波数検出部２０２を有効（ON）状態に制御し、検出する周波数の中心周波数を２４５０ＭＨｚに、帯域幅を５ＭＨｚに設定する（２４０３）。
【０１０２】
次に、信号判定部２１０は、相関検出部２０３を有効（ON）状態に制御し、検出モードを自己相関モードに設定する（２４０４）。次に、信号判定部２１０は、同期処理部２０４、等化処理部２０５、復調処理部２０６、復号処理部２０７を無効（OFF）状態に設定する（２４０５）。次に、信号判定部２１０は、正誤判定部２０８を有効（ON）状態に制御し、誤りデータを検出対象に設定する（２４０６）。次に、信号判定部２１０は、特性判定部２０９を無効（OFF）状態に制御する（２４０７）。
【０１０３】
以上の初期設定が終了すると、無線通信装置は、受信待機状態を開始する（２４０８）。無線信号が到来すると、電力検出部２０１は、電力値を計算し、−７０ｄＢｍよりも大きいか小さいかを判定する（２４０９）。電力値が−７０ｄＢｍよりも小さい場合（信号判定部２１０が電力検出部２０１からフィードバック信号を受信しなかった場合）、信号判定部２１０は受信待機を継続する（２４０８に戻る）。一方、電力値が−７０ｄＢｍを越えた場合（信号判定部２１０が電力検出部２０１からフィードバック信号を受信した場合）、信号判定部２１０は記録候補である何らかの無線信号が到来したと判定し、信号記録を開始する（２４１０）。
【０１０４】
次に、信号判定部２１０は、周波数検出部２０２から周波数成分の解析結果を取得する。具体的には、信号判定部２１０は、周波数検出部２０２からフィードバック信号が受信されるか否かを判定する（２４１１）。フィードバック信号は、受信無線信号の中心周波数が２４５０ＭＨｚであり、かつ、帯域幅が５ＭＨｚ以下である場合に周波数検出部２０２から出力される。
【０１０５】
判定結果が不適合を意味する場合、信号判定部２１０は信号記録を停止（２４１７）し、その時点まで記録していた信号を破棄する（２４１８）。判定結果が適合を意味する場合、信号判定部２１０は相関検出部２０３からフィードバック信号が受信されるか否かを判定する（２４１２）。フィードバック信号は、自己相関を有する場合に相関検出部２０３から出力される。
【０１０６】
到来した無線信号が自己相関を持たないと判定された場合、信号判定部２１０は信号記録を停止（２４１７）し、信号を破棄する（２４１８）。到来した無線信号が自己相関を持つと判定された場合、信号判定部２１０は、受信処理部１０５による受信処理を待つ（２４１３）。具体的には、同期、等化、復調、復号の各処理の実行を待つ。
【０１０７】
この後、信号判定部２１０は、正誤判定部２０８からフィードバック信号が受信されるか否かを判定する（２４１４）。フィードバック信号は、復調されたデータが異常の場合に正誤判定部２０８から出力される。データが正常の場合、信号判定部２１０は、信号記録を停止（２４１７）し、それまで記録していた信号を破棄（２４１８）する。データが異常の場合、信号判定部２１０は、信号記録を停止（２４１５）し、それまで記録していた信号を保存（２４１６）する。以上が、１つの受信無線信号を記録する一連の処理動作であり、その後、信号判定部２１０は受信待機状態（２４０８）へと戻る。
【０１０８】
以上の処理動作が、処理判定命令に基づいて実行される。以上の処理により、図２２で設定した条件に適合する無線信号のみが選択的に記録され、適合しない無線信号は破棄される。
【０１０９】
［形態例５］
引き続き、形態例２で説明した無線通信装置１００の構成を前提とし、具体的な設定条件が与えられた場合における無線通信装置のシステム構成及び処理動作を説明する。
【０１１０】
図２５は、本形態例において選択的に記録・保存する受信無線信号の設定条件（記録条件）である。図２５に示す設定条件（記録条件）では、電力検出を有効（ON）に制御し、電力閾値を−８５ｄＢｍに設定している。また、周波数検出を有効（ON）に制御し、検出する周波数の中心周波数を２４５０ＭＨｚ、帯域幅を１００ＭＨｚに設定している。また、相関検出、同期処理、等化処理、復調処理、復号処理、正誤判定、特性判定を無効（OFF）無効に設定している。すなわち、本形態例では、広帯域（１００ＭＨｚ）を監視し、到来した全ての無線信号を記録することを目的とする。
【０１１１】
図２６は、形態例５に対応する無線通信装置において使用するフィードバック信号の組を分かり易く表した図である。無線通信装置１００は、アンテナ１０１、高周波処理部１０２、ＡＤ変換部１０３、電力検出部２０１、周波数検出部２０２、受信処理部１０５、受信バッファ１０７、信号判定部２１０、信号記録部２１１、設定条件入力部１１０、信号出力部１１１から構成される。図２６に示すように、本形態例は、信号検出部１０４の一部からのフィードバック信号だけを使用する。また、本形態例では、形態例２に示すハードウェア構成を前提としているが、図２６に示すフィードバック信号の入出力関係だけをハードウェア的に有する装置構成でもよい。
【０１１２】
図２７は、形態例５に対応する判定処理命令の記述に基づいた処理動作手順の一例を示す。無線通信装置の電源投入（２７０１）の後、信号判定部２１０は、電力検出部２０１を有効（ON）状態に制御し、閾値を−８５ｄＢｍに設定する（２７０２）。次に、信号判定部２１０は、周波数検出部２０２を有効（ON）状態に制御し、検出する周波数の中心周波数を２４５０ＭＨｚに、帯域幅を１００ＭＨｚに設定する（２７０３）。
【０１１３】
次に、信号判定部２１０は、相関検出部２０３を無効（OFF）状態に制御する（２７０４）。次に、信号判定部２１０は、同期処理部２０４、等化処理部２０５、復調処理部２０６、復号処理部２０７を無効（OFF）状態に設定する（２７０５）。次に、信号判定部２１０は、正誤判定部２０８を無効（OFF）状態に制御する（２７０６）。次に、信号判定部２１０は、特性判定部２０９を無効（OFF）状態に制御する（２７０７）。
【０１１４】
以上の初期設定が終了すると、無線通信装置は、受信待機状態を開始する（２７０８）。無線信号が到来すると、電力検出部２０１は、電力値を計算し、−８５ｄＢｍよりも大きいか小さいかを判定する（２７０９）。電力値が−８５ｄＢｍよりも小さい場合（信号判定部２１０が電力検出部２０１からフィードバック信号を受信しなかった場合）、信号判定部２１０は受信待機を継続する（２７０８に戻る）。一方、電力値が−８５ｄＢｍを越えた場合（信号判定部２１０が電力検出部２０１からフィードバック信号を受信した場合）、信号判定部２１０は記録候補である何らかの無線信号が到来したと判定し、信号記録を開始する（２７１０）。
【０１１５】
次に、信号判定部２１０は、周波数検出部２０２から周波数成分の解析結果を取得する。具体的には、信号判定部２１０は、周波数検出部２０２からフィードバック信号が受信されるか否かを判定する（２７１１）。フィードバック信号は、受信無線信号の中心周波数が２４５０ＭＨｚであり、かつ、帯域幅が１００ＭＨｚ以下である場合に周波数検出部２０２から出力される。
【０１１６】
判定結果が不適合を意味する場合、信号判定部２１０は信号記録を停止（２７１６）し、その時点まで記録していた信号を破棄する（２７１７）。判定結果が適合を意味する場合、受信処理部１０５による受信処理を待つ（２７１２）。具体的には、同期、等化、復調、復号の各処理の実行を待つ。
【０１１７】
この後、信号判定部２１０は、−８５ｄＢｍよりも大きいか小さいかを判定する（２７１３）。電力値が−８５ｄＢｍよりも大きい場合、信号判定部２１０は受信待機を継続する（２７１２に戻る）。一方、電力値が−８５ｄＢｍよりも小さい場合、信号判定部２１０は信号記録を停止（２７１４）し、それまで記録していた信号を保存（２７１５）する。以上が、１つの受信無線信号を記録する一連の処理動作であり、その後、信号判定部２１０は受信待機状態（２７０８）へと戻る。
【０１１８】
以上の処理動作が、処理判定命令に基づいて実行される。以上の処理により、図２５で設定した条件に適合する無線信号のみが選択的に記録され、適合しない無線信号は破棄される。
【０１１９】
［形態例６］
本形態例では、前述した形態例１及び２とは異なる無線通信装置の構成例を説明する。図２８に、本形態例に係る無線通信装置２００の全体構成例を示す。無線通信装置２００は、アンテナ１０１、高周波処理部１０２、ＡＤ変換部１０３、同期処理部２０４、等化処理部２０５、復調処理部２０６、復号処理部２０７、正誤判定部２０８、特性判定部２０９、受信バッファ１０７、信号判定部２１０、信号記録部２１１、設定条件入力部１１０、信号出力部１１１から構成される。
【０１２０】
本装置構成の無線通信装置では、図１における受信処理部１０５と同等の機能を、同期処理部２０４、等化処理部２０５、復調処理部２０６、復号処理部２０７が実行する。信号検出部１０４が行う処理が、同期処理部２０４、等化処理部２０５、復調処理部２０６、復号処理部２０７が行う処理と同等か近似した処理である場合、図２８に示すように、信号検出部１０４を省略した構成も可能である。勿論、本形態例に係る無線通信装置は、図２８に示すフィードバック信号の入出力関係だけをハードウェア的に有する装置構成でもよい。
【０１２１】
［形態例７］
本形態例でも、前述した形態例１、２及び６と異なる無線通信装置の構成例を説明する。図２９に、形態例６に係る無線通信装置の全体構成を示す。
【０１２２】
本形態例に係る無線通信装置３００は、アンテナ１０１、高周波処理部１０２、ＡＤ変換部１０３、信号記録部２１１、受信処理部１０５、データ判定部１０６、受信バッファ１０７から構成される。図に示すように、本形態例に係る無線通信装置３００においては、ＡＤ変換部１０３の直後に信号記録部２１１が配置され、受信無線信号の記録処理を実行する。
【０１２３】
本形態例に係る無線通信装置３００は、ＡＤ変換直後の変調信号を全て記録し、受信した変調信号の状態を解析することを目的とする装置において採用する。なお、この形態例に係る処理動作も、前述した形態例と同様、処理判定命令の記述により実現することができる。すなわち、図２９は、形態例２に示す無線通信装置１００の等価図の一つである。なお、図２９に示すフィードバック信号の入出力関係だけをハードウェア的に有する装置構成でもよい。
【０１２４】
［形態例８］
本形態例も、形態例２で説明した無線通信装置１００の構成を前提とし、具体的な設定条件が与えられた場合における無線通信装置のシステム構成及び処理動作を説明する。
【０１２５】
図３０は、本形態例において選択的に記録・保存する受信無線信号の設定条件（記録条件）である。図３０に示す設定条件（記録条件）では、電力検出を有効（ON）に制御し、電力閾値を−１００ｄＢｍに設定している。また、周波数検出を有効（ON）に制御し、検出する周波数の中心周波数を１５７５ＭＨｚ、帯域幅を１０ＭＨｚに設定している。また、相関検出、同期処理、等化処理、復調処理、復号処理、正誤判定、特性判定を無効（OFF）無効に設定している。すなわち、本形態例では、GPS信号を受信して記録することを目的とする。本設定条件を用いてライセンスバンドを用いた無線信号を記録すると、所望の信号以外の外来信号が入ってくる可能性が少ないため、比較的単純な条件設定でGPS信号の記録が可能となる。
【０１２６】
図３１は、形態例８に対応する無線通信装置において使用するフィードバック信号の入出力関係を分かり易く表した図である。無線通信装置１００は、アンテナ１０１、高周波処理部１０２、ＡＤ変換部１０３、電力検出部２０１、周波数検出部２０２、受信処理部１０５、受信バッファ１０７、信号判定部２１０、信号記録部２１１、設定条件入力部１１０、信号出力部１１１から構成される。各部の有効／無効や閾値は、図３０の設定条件に基づいて切り替えられている。もっとも、本形態例に係る無線通信装置は、図３１に示すフィードバック信号の入出力関係だけをハードウェア的に有する装置構成でもよい。
【０１２７】
図３２は、形態例８に対応する判定処理命令の記述に基づいた処理動作手順の一例を示す。無線通信装置の電源投入（３２０１）の後、信号判定部２１０は、電力検出部２０１を有効（ON）状態に制御し、閾値を−１００ｄＢｍに設定する（３２０２）。次に、信号判定部２１０は、周波数検出部２０２を有効（ON）状態に制御し、検出する周波数の中心周波数を１５７５ＭＨｚに、帯域幅を１０ＭＨｚに設定する（３２０３）。
次に、信号判定部２１０は、相関検出部２０３を無効（OFF）状態に制御する（３２０４）。
【０１２８】
次に、信号判定部２１０は、同期処理部２０４、等化処理部２０５、復調処理部２０６、復号処理部２０７を無効（OFF）状態に設定する（３２０５）。次に、信号判定部２１０は、正誤判定部２０８を無効（OFF）状態に制御する（３２０６）。次に、信号判定部２１０は、特性判定部２０９を無効（OFF）状態に制御する（３２０７）。
【０１２９】
以上の初期設定が終了すると、無線通信装置は、受信待機状態を開始する（３２０８）。無線信号が到来すると、電力検出部２０１は、電力値を計算し、−１００ｄＢｍよりも大きいか小さいかを判定する（３２０９）。電力値が−１００ｄＢｍよりも小さい場合（信号判定部２１０が電力検出部２０１からフィードバック信号を受信しなかった場合）、信号判定部２１０は受信待機を継続する（３２０８に戻る）。一方、電力値が−１００ｄＢｍを越えた場合（信号判定部２１０が電力検出部２０１からフィードバック信号を受信した場合）、信号判定部２１０は何らかの無線信号が到来したと判定し、信号記録を開始する（３２１０）。
【０１３０】
次に、信号判定部２１０は、周波数検出部２０２から周波数成分の解析結果を取得する。具体的には、信号判定部２１０は、周波数検出部２０２からフィードバック信号が受信されるか否かを判定する（３２１１）。フィードバック信号は、受信無線信号の中心周波数が１５７５ＭＨｚであり、かつ、帯域幅が１０ＭＨｚ以下である場合に周波数検出部２０２から出力される。判定結果が不適合を意味する場合、信号判定部２１０は信号記録を停止（３２１６）し、その時点まで記録していた信号を破棄する（３２１５）。
【０１３１】
判定結果が適合を意味する場合、信号判定部２１０は、受信処理部１０５に受信処理を指示する（３２１２）。この指示により、具体的には、同期、等化、復調、復号の各処理が実行される。この後、信号判定部２１０は、信号記録の停止（３２１３）と、それまで記録していた信号の保存（３２１４）とを指示する。以上が、１つの受信無線信号を記録する一連の処理動作であり、その後、信号判定部２１０は受信待機状態（３２０８）へと戻る。
【０１３２】
以上の処理動作が、処理判定命令に基づいて実行される。以上の処理により、図３０で設定した条件に適合する無線信号のみが選択的に記録され、適合しない無線信号は破棄される。
【０１３３】
［形態例９］
次に、形態例２で説明した無線通信装置１００の構成を前提とし、具体的な設定条件が与えられた場合における無線通信装置のシステム構成及び処理動作を説明する。
【０１３４】
図３３は、本形態例において選択的に記録・保存する受信無線信号の設定条件（記録条件）である。図３３に示す設定条件（記録条件）では、電力検出を有効（ON）に制御し、電力閾値を３０ｄＢｍに設定している。また、周波数検出を有効（ON）に制御し、検出する周波数の中心周波数を４３５ＭＨｚ、帯域幅を１０ＭＨｚに設定している。また、相関検出、同期処理、等化処理、復調処理、復号処理、正誤判定、特性判定を無効（OFF）無効に設定している。すなわち、本形態例では、違法な大出力で送信されている信号の記録を目的とする。換言すると、この形態例は、明らかに異常と思われる大出力の信号のみを選別し、記録するといった処理を可能とする。
実施例９における無線通信装置の全体構成の例は、図３１と同様である。
【０１３５】
図３４は、形態例９に対応する判定処理命令の記述に基づいた処理動作手順の一例を示す。無線通信装置の電源投入（３４０１）の後、信号判定部２１０は、電力検出部２０１を有効（ON）状態に制御し、閾値を３０ｄＢｍに設定する（３４０２）。次に、信号判定部２１０は、周波数検出部２０２を有効（ON）状態に制御し、検出する周波数の中心周波数を４３５ＭＨｚに、帯域幅を１０ＭＨｚに設定する（３４０３）。
【０１３６】
次に、信号判定部２１０は、相関検出部２０３を無効（OFF）状態に制御する（３４０４）。次に、信号判定部２１０は、同期処理部２０４、等化処理部２０５、復調処理部２０６、復号処理部２０７を無効（OFF）状態に設定する（３４０５）。次に、信号判定部２１０は、正誤判定部２０８を無効（OFF）状態に制御する（３４０６）。次に、信号判定部２１０は、特性判定部２０９を無効（OFF）状態に制御する（３４０７）。
【０１３７】
以上の初期設定が終了すると、無線通信装置は、受信待機状態を開始する（３４０８）。無線信号が到来すると、電力検出部２０１は、電力値を計算し、３０ｄＢｍよりも大きいか小さいかを判定する（３４０９）。電力値が３０ｄＢｍよりも小さい場合（信号判定部２１０が電力検出部２０１からフィードバック信号を受信しなかった場合）、信号判定部２１０は受信待機を継続する（３４０８に戻る）。一方、電力値が３０ｄＢｍを越えた場合（信号判定部２１０が電力検出部２０１からフィードバック信号を受信した場合）、信号判定部２１０は記録候補である何らかの無線信号が到来したと判定し、信号記録を開始する（３４１０）。
【０１３８】
次に、信号判定部２１０は、周波数検出部２０２から周波数成分の解析結果を取得する。具体的には、信号判定部２１０は、周波数検出部２０２からフィードバック信号が受信されるか否かを判定する（３４１１）。フィードバック信号は、受信無線信号の中心周波数が４３５ＭＨｚであり、かつ、帯域幅が１０ＭＨｚ以下である場合に周波数検出部２０２から出力される。
【０１３９】
判定結果が不適合を意味する場合、信号判定部２１０は信号記録を停止（３４１６）し、その時点まで記録していた信号を破棄する（３４１５）。判定結果が適合を意味する場合、受信処理部１０５による受信処理を待つ（３４１２）。具体的には、同期、等化、復調、復号の各処理の実行を待つ。続いて、信号判定部２１０は、記録の停止（３４１３）と信号の保存（３４１４）を指示する。ここまでが１つの無線信号を記録する一連の処理となり、受信待機状態（３４０８）へと戻る。以上の処理によって、図３４で設定した条件に適合する無線信号のみを選択して記録し、適合しない無線信号を破棄することができる。
【符号の説明】
【０１４０】
１００  無線通信装置
１０１  アンテナ
１０２  高周波処理部
１０３  ＡＤ変換部
１０４  信号検出部
１０５  受信処理部
１０６  データ判定部
１０７  受信バッファ
１０８  信号判定部
１０９  信号記録部
１１０  設定条件入力部
１１１  信号出力部
２００  無線通信装置
２０１  電力検出部
２０２  周波数検出部
２０３  相関検出部
２０４  同期処理部
２０５  等化処理部
２０６  復調処理部
２０７  復号処理部
２０８  正誤判定部
２０９  特性判定部
２１０  信号判定部
２１１  信号記録部
３００  無線通信装置
３０１  電力変換部
３０２  電力判定部
４０１  周波数変換部
４０２  周波数判定部
５０１  相関処理部
５０２  相関判定部
６０１  キャリア同期部
６０２  シンボル同期部
６０３  フレーム同期部
７０１  チャネル推定部
７０２  チャネル等化部
８０１  復調処理部
９０１  復号処理部
１００１  誤り検出部
１００２  正誤判定部
１１０１  特性検出部
１１０２  特性判定部
１２０１  信号判定部
１３０１  信号記録制御部
１３０２  メモリ
１６０１  表示装置
１７０１  外部出力装置
【図１】
0005539289.tif 000002
【図２】
0005539289.tif 000003
【図３】
0005539289.tif 000004
【図４】
0005539289.tif 000005
【図５】
0005539289.tif 000006
【図６】
0005539289.tif 000007
【図７】
0005539289.tif 000008
【図８】
0005539289.tif 000009
【図９】
0005539289.tif 000010
【図１０】
0005539289.tif 000011
【図１１】
0005539289.tif 000012
【図１２】
0005539289.tif 000013
【図１３】
0005539289.tif 000014
【図１４】
0005539289.tif 000015
【図１５】
0005539289.tif 000016
【図１６】
0005539289.tif 000017
【図１７】
0005539289.tif 000018
【図１８】
0005539289.tif 000019
【図１９】
0005539289.tif 000020
【図２０】
0005539289.tif 000021
【図２１】
0005539289.tif 000022
【図２２】
0005539289.tif 000023
【図２３】
0005539289.tif 000024
【図２４】
0005539289.tif 000025
【図２５】
0005539289.tif 000026
【図２６】
0005539289.tif 000027
【図２７】
0005539289.tif 000028
【図２８】
0005539289.tif 000029
【図２９】
0005539289.tif 000030
【図３０】
0005539289.tif 000031
【図３１】
0005539289.tif 000032
【図３２】
0005539289.tif 000033
【図３３】
0005539289.tif 000034
【図３４】
0005539289.tif 000035